(57)【要約】【課題】加湿水および除湿水それぞれの貯留部を備えながら小型化する。【解決手段】空気調和機は、熱交換器（１５）により空気を除湿する除湿動作部と、加湿フィルタ（１９）にて空気を加湿する加湿動作部と、内部を仕切り部材（３３）にて仕切ることにより、ドレイン水を貯留する除湿水貯留部（３１）および加湿フィルタ（１９）に供給する水を貯留する加湿水貯留部（３２）を形成した水タンク（１８）とを備える。【選択図】図１
2020067204.tif 000002
【特許請求の範囲】
【請求項１】
空気を除湿する除湿動作部と、
加湿フィルタを有し、前記加湿フィルタにより空気を加湿する加湿動作部と、
前記除湿動作部にて生じたドレイン水を貯留する除湿水貯留部、および前記加湿フィルタへ供給する水を貯留する加湿水貯留部を有する水タンクであって、内部を仕切り部材にて仕切ることにより前記除湿水貯留部および前記加湿水貯留部が形成されており、前記加湿水貯留部の内部に前記加湿フィルタが設けられている水タンクとを備えていることを特徴とする空気調和機。
【請求項２】
前記水タンクは、前記加湿水貯留部の上面位置を塞ぐ上蓋を有していることを特徴とする請求項１に記載の空気調和機。
【請求項３】
前記上蓋は、前記除湿水貯留部の上面位置と前記加湿水貯留部の上面位置以外の退避位置とに移動可能であり、
前記上蓋を移動させる蓋駆動部と、
加湿運転の場合に前記上蓋が前記退避位置へ移動し、除湿運転の場合に前記上蓋が前記加湿水貯留部の上面位置へ移動するように、前記蓋駆動部を制御する蓋切替え制御部とを備えていることを特徴とする請求項２に記載の空気調和機。
【請求項４】
倒伏状態と起立状態とが可能であり、ばねによって起立状態に保持され、空気調和機の内部に取り込まれた空気を前記起立状態により前記加湿フィルタへ案内するダンパーであって、前記上蓋の前記退避位置への移動により起立状態となり、前記上蓋の前記加湿水貯留部の上面位置への移動により、前記上蓋に押されて倒伏状態となるダンパーを備えていることを特徴とする請求項３に記載の空気調和機。
【請求項５】
前記退避位置は、前記除湿水貯留部の上面位置であり、
前記仕切り部材は、前記除湿水貯留部と前記加湿水貯留部とが水平方向に並ぶように前記水タンクの内部を仕切っていることを特徴とする請求項４に記載の空気調和機。
【発明の詳細な説明】
【技術分野】
【０００１】
本発明は、除湿機能および加湿機能を備えた空気調和機に関する。
【背景技術】
【０００２】
従来、除湿機能および加湿機能を備えた空気調和機が多数開発されている。例えば、特許文献１に開示されている装置は、除湿部および加湿部を備え、除湿部は除湿タンクを有し、加湿部は加湿タンクを有している。
【０００３】
具体的には、除湿部は、装置の内部を通過する空気を熱交換器にて冷却し、空気に含まれる水分を結露させることにより、空気に含まれる水分を取り除き、空気を除湿する。除湿にて生じた水は、除湿トレイにて受け止められ、除湿タンク４４に送られる。
【０００４】
加湿部は、装置の内部を通過する空気に対して加湿フィルタにより加湿する。加湿フィルタは、加湿トレイ内に設けられ、加湿トレイから水が供給される。加湿トレイには加湿タンクから水が補給される。特許文献１では、加湿タンクと除湿タンクとがそれぞれ独立して着脱可能に上下に設けられている。
【先行技術文献】
【特許文献】
【０００５】
【特許文献１】特開平２０１７−５３５８２号公報
【発明の概要】
【発明が解決しようとする課題】
【０００６】
しかしながら、上記従来の構成では、加湿タンクと除湿タンクとが独立して設けられているので、装置が大型になる。すなわち、装置を小型化しようとした場合、加湿タンクと除湿タンクとが独立して存在することが、小型化の障害となっている。
【０００７】
本発明の一態様は、加湿水および除湿水のそれぞれを貯留する貯留部を備えながら小型化することができる空気調和機の提供を目的としている。
【課題を解決するための手段】
【０００８】
上記の課題を解決するために、本発明の一態様に係る空気調和機は、空気を除湿する除湿動作部と、加湿フィルタを有し、前記加湿フィルタにより空気を加湿する加湿動作部と、前記除湿動作部にて生じたドレイン水を貯留する除湿水貯留部、および前記加湿フィルタが内部に設けられ、前記加湿フィルタに供給する水を貯留する加湿水貯留部を有する水タンクであって、内部を仕切り部材にて仕切ることにより前記除湿水貯留部および前記加湿水貯留部が形成されている水タンクとを備えている。
【発明の効果】
【０００９】
本発明の一態様によれば、加湿水および除湿水のそれぞれを貯留する貯留部を備えながら小型化することができる。
【図面の簡単な説明】
【００１０】
【図１】本発明の実施形態の空気調和機の外観を示す斜視図である。
【図２】図１に示した空気調和機の内部の構成を示す側面の模式図である。
【図３】図３の（ａ）は、図２に示した水タンクの平面図、図３の（ｂ）は、図３の（ａ）に示した水タンクの内部の構造を示す正面図である。
【図４】図２に示した空気調和機の加湿運転時の動作を示す説明図である。
【図５】図２に示した空気調和機の除湿運転時の動作を示す説明図である。
【図６】本発明の他の実施形態の空気調和機の加湿運転時の動作を示す説明図である。
【図７】図７の（ａ）は、図６に示した空気調和機の加湿運転時の水タンクの平面図、図７の（ｂ）は、図７の（ａ）に示した水タンクの内部の構造を示す正面図である。
【図８】図６に示した空気調和機の除湿運転時の動作を示す説明図である。
【図９】図９の（ａ）は、図８に示した空気調和機の除湿運転時の水タンクの平面図、図９の（ｂ）は、図９の（ａ）に示した水タンクの内部の構造を示す正面図である。
【図１０】本発明のさらに他の実施形態の空気調和機の加湿運転時の動作を示す説明図である。
【図１１】図１０に示した空気調和機の除湿運転時の動作を示す説明図である。
【図１２】図１０に示した水タンクが備える蓋駆動装置の構成を示すブロック図である。
【図１３】図１３の（ａ）は、上記水タンクの他の例に係る水タンクの平面図、図１３の（ｂ）は、図１３の（ａ）に示した水タンクの内部の構造を示す正面図である。
【図１４】図１４の（ａ）は、上記水タンクのさらに他の例に係る水タンクの平面図、図１４の（ｂ）は、図１４の（ａ）に示した水タンクの内部の構造を示す正面図である。
【図１５】図１５の（ａ）は、上記水タンクのさらに他の例に係る水タンクの平面図、図１５の（ｂ）は、図１５の（ａ）に示した水タンクの内部の構造を示す正面図である。
【発明を実施するための形態】
【００１１】
〔実施形態１〕
以下、本発明の実施形態を図面に基づいて以下に説明する。図１は、本実施形態の空気調和機１の外観を示す斜視図である。図２は、図１に示した空気調和機１の内部の構成を示す側面の模式図である。
【００１２】
（空気調和機１の構成）
図１に示すように、空気調和機１は、筐体１１を構成する、フロントカバー２１、リヤカバー２２、左右の側壁部２３および上壁部２４を有している。フロントカバー２１およびリヤカバー２２は着脱可能である。
【００１３】
リヤカバー２２には筐体吸込み口２５（図２参照）が形成され、上壁部２４には筐体吹出し口２６が形成されている。筐体吹出し口２６には、開閉駆動される開閉蓋２７が設けられている。開閉蓋２７は、空気調和機１の運転時に開状態となり、空気調和機１の停止時に閉状態となる。
【００１４】
筐体１１の内部には、図２に示すように、リヤカバー２２側からフロントカバー２１側へ向かって、空気清浄フィルタ１２、ファンモータ１３、ファン１４および熱交換器（除湿動作部）１５が設けられている。
【００１５】
空気清浄フィルタ１２は、例えばHEPAフィルタ (High Efficiency Particulate Air Filter)である。但し、空気清浄フィルタ１２のフィルタの種類については特に限定されない。ファンモータ１３はファン１４を回転させる。ファン１４はファンケーシング１６にて覆われている。ファンケーシング１６は、ケーシング吸込み口１６ａおよびケーシング吹出し口１６ｂを有する。
【００１６】
熱交換器１５は、通過する空気を冷却し、空気に含まれる水分を結露させる。これにより、熱交換器１５は、空気に含まれる水分を取り除き、空気を除湿する。このために、空気調和機１は、熱交換器１５に冷媒を循環させ、冷媒の相変化を利用して、空気を冷却する周知の構成の冷凍サイクル装置を備えている。
【００１７】
熱交換器１５の下にはドレイン水トレイ１７が設けられ、ドレイン水トレイ１７の下には水タンク１８が設けられている。ドレイン水トレイ１７は、熱交換器１５にて生じたドレイン水を受ける。水タンク１８は、筐体１１内の下部に位置し、側壁部２３に開口されたタンク出入れ口２８（図１参照）から、出し入れ可能となっている。
【００１８】
（水タンク１８の構成）
図３の（ａ）は、図２に示した水タンク１８の平面図、図３の（ｂ）は、図３の（ａ）に示した水タンク１８の内部の構造を示す正面図である。図３の（ａ）（ｂ）に示す水タンク１８は、仕切り部材３３が水タンク１８の底面に対して垂直、かつ空気調和機１の前後方向と垂直な方向に設けられ、直方体形状の水タンク１８の内部を直方体形状の二つの領域に分割している。
【００１９】
水タンク１８は除湿水貯留部３１と加湿水貯留部３２とを内部に有する。本実施形態において、除湿水貯留部３１および加湿水貯留部３２は、水タンク１８の内部を仕切り部材３３にて水平方向に二室に仕切ることにより形成されている。除湿水貯留部３１は、ドレイン水トレイ１７の下に位置し、ドレイン水トレイ１７とつながっており、ドレイン水トレイ１７から流れ込むドレイン水を貯留する。加湿水貯留部３２は、加湿フィルタ（加湿動作部）１９へ供給する加湿用の水（例えば水道水）を収容するようになっており、加湿フィルタ１９が内部に設けられている。加湿フィルタ１９は、加湿水貯留部３２の高さよりも低い高さを有し、例えば回転しない固定式である。
【００２０】
（筐体１１内部での空気の経路）
空気調和機１では、ファン１４が回転することにより、筐体吸込み口２５から吸い込まれた空気が、空気清浄フィルタ１２、加湿水貯留部３２内の加湿フィルタ１９、熱交換器１５の前面、熱交換器１５、ケーシング吸込み口１６ａ、ファン１４およびケーシング吹出し口１６ｂを経て、筐体吹出し口２６へ至る風路が形成される。この風路を形成するために、水タンク１８の上の空気清浄フィルタ１２が存在する領域は、ファンモータ１３およびファン１４が存在する領域と隔壁２９にて区画されている。
【００２１】
（加湿運転時の動作）
上記の構成において、空気調和機１の加湿運転時の動作について説明する。図４は、空気調和機１の加湿運転時の動作を示す説明図である。
【００２２】
空気調和機１の加湿運転時には、図４に示すように、水タンク１８の加湿水貯留部３２は水を入れた状態とする。また、冷凍サイクル装置は運転を停止する。
【００２３】
この状態にてファンモータ１３に駆動されてファン１４が回転すると、筐体吸込み口２５から筐体１１の内部へ空気が吸い込まれ、この空気は空気清浄フィルタ１２を経て浄化される。次に、上記空気は、加湿水貯留部３２へ入り込み、加湿フィルタ１９を通過することにより加湿される。さらに上記空気は、加湿水貯留部３２から出た後、熱交換器１５の前面へ回り込み、熱交換器１５、ケーシング吸込み口１６ａ、ファン１４およびケーシング吹出し口１６ｂを通過し、筐体吹出し口２６から機外へ排出される。なお、この場合、冷凍サイクル装置が運転を停止しているので、空気は熱交換器１５にて除湿されない。
【００２４】
（除湿運転時の動作）
次に、空気調和機１の除湿運転時の動作について説明する。図５は、空気調和機１の除湿運転時の動作を示す説明図である。
【００２５】
空気調和機１の除湿運転時には、図５に示すように、水タンク１８の加湿水貯留部３２は水が空の状態とする。また、冷凍サイクル装置は運転する。
【００２６】
この状態にてファンモータ１３に駆動されてファン１４が回転すると、筐体吸込み口２５から筐体１１の内部へ空気が吸い込まれ、この空気は空気清浄フィルタ１２を経て浄化される。次に、上記空気は、加湿水貯留部３２へ入り込み、加湿フィルタ１９を通過する。この場合、加湿水貯留部３２は、水が空の状態であるから空気への加湿は行われない。さらに上記空気は、加湿水貯留部３２から出た後、熱交換器１５の前面へ回り込み、熱交換器１５、ケーシング吸込み口１６ａ、ファン１４およびケーシング吹出し口１６ｂを通過し、筐体吹出し口２６から機外へ排出される。この場合、冷凍サイクル装置が運転しているので、空気は熱交換器１５にて除湿される。除湿にて生じたドレイン水は、ドレイン水トレイ１７にて受け止められた後、除湿水貯留部３１へ流れ込み、除湿水貯留部３１にて貯留される。除湿水貯留部３１内のドレイン水は、水タンク１８を筐体１１のタンク出入れ口２８から引き出すことにより、廃棄することができる。
【００２７】
（空気調和機１の利点）
空気調和機１では、水タンク１８が、内部を仕切り部材３３にて仕切られることにより、除湿水貯留部３１と加湿水貯留部３２とを有し、従来の除湿タンクおよび加湿タンクとしての機能を備えている。これにより、除湿タンクおよび加湿タンクをそれぞれ独立して有する場合と比較して、小型化が可能となっている。すなわち、空気調和機１は、加湿水および除湿水のそれぞれを貯留する貯留部を備えながら小型化することができきる。
【００２８】
また、加湿フィルタ１９を加湿水貯留部３２内に設けており、加湿水貯留部３２を従来の加湿トレイとしても機能させているので、別途加湿トレイが不要であり、これによっても小型化が可能となっている。
【００２９】
なお、水タンク１８を小型化する上では、加湿フィルタ１９は、加湿フィルタ１９全体を加湿水貯留部３２の内部に収容し易い固定式とすることが好ましい。
【００３０】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００３１】
（空気調和機２の構成）
図６は、本実施形態の空気調和機２の加湿運転時の動作を示す説明図である。図７の（ａ）は、空気調和機２の加湿運転時の水タンク４１の平面図、図７の（ｂ）は、図７の（ａ）に示した水タンク４１の内部の構造を示す正面図である。図８は、空気調和機２の除湿運転時の動作を示す説明図である。図９の（ａ）は、空気調和機２の除湿運転時の水タンク４１の平面図、図９の（ｂ）は、図９の（ａ）に示した水タンク４１の内部の構造を示す正面図である。空気調和機２の構成は、水タンク４１を除いて空気調和機１と同様である。
【００３２】
（水タンク４１の構成）
図９の（ａ）（ｂ）に示すように、水タンク４１は、水タンク１８と同様、仕切り部材３３が水タンク４１の底面に対して垂直、かつ空気調和機２の前後方向と垂直な方向に設けられている。
【００３３】
水タンク４１は、除湿水貯留部３１および加湿水貯留部３２の上面位置を塞ぐ上蓋４２を有している。上蓋４２はユーザの手動操作にて開け閉めされる。上蓋４２は、除湿水貯留部３１および加湿水貯留部３２の上面の寸法が同じである場合、除湿水貯留部３１と加湿水貯留部３２とで共通のものを使用可能である。但し、水タンク４１は、少なくとも加湿水貯留部３２の上面位置を塞ぐ上蓋４２のみを有していればよい。
【００３４】
（加湿運転時の動作）
上記の構成において、空気調和機２の加湿運転時には、図６に示すように、水タンク４１の加湿水貯留部３２は水を入れた状態とする。上蓋４２は、加湿水貯留部３２の上には配置せず、例えば除湿水貯留部３１の上に配置しておく。また、冷凍サイクル装置は運転を停止する。その後のファンモータ１３を回転してからの空気調和機２の動作は、空気調和機１の場合と同様である。
【００３５】
（除湿運転時の動作）
空気調和機２の除湿運転時には、図８に示すように、上蓋４２は、加湿水貯留部３２の上に配置し、除湿水貯留部３１の上には配置しない。水タンク４１の加湿水貯留部３２の水は、空の状態でも貯留状態でもよい。また、冷凍サイクル装置は運転する。
【００３６】
この状態にてファンモータ１３に駆動されてファン１４が回転すると、筐体吸込み口２５から筐体１１の内部へ空気が吸い込まれ、この空気は空気清浄フィルタ１２を経て浄化される。この空気は、上蓋４２が加湿水貯留部３２の上に配置されていることにより、加湿水貯留部３２へは入り込まない。したがって、加湿水貯留部３２に水が貯留されていない場合は勿論、加湿水貯留部３２に水が貯留されている場合であっても、空気への加湿は行われない。
【００３７】
その後、空気は、空気調和機１の場合と同様、熱交換器１５にて除湿され、ケーシング吸込み口１６ａ、ファン１４およびケーシング吹出し口１６ｂを通過し、筐体吹出し口２６から機外へ排出される。除湿にて生じたドレイン水についても、同様に、ドレイン水トレイ１７を経て除湿水貯留部３１により貯留される。
【００３８】
（空気調和機２の利点）
空気調和機２では、水タンク４１の加湿水貯留部３２の上面位置を上蓋４２にて蓋をすることができるので、加湿水貯留部３２に水が存在する状態にて除湿運転が可能である。空気調和機２のその他の利点は空気調和機１の利点と同様である。
【００３９】
〔実施形態３〕
本発明のさらに他の実施形態について、以下に説明する。なお、説明の便宜上、上記実施形態にて説明した部材と同じ機能を有する部材については、同じ符号を付記し、その説明を繰り返さない。
【００４０】
（空気調和機３の構成）
図１０は、本実施形態の空気調和機３の加湿運転時の動作を示す説明図である。図１１は、空気調和機３の除湿運転時の動作を示す説明図である。空気調和機３の構成は、水タンク５１を除いて空気調和機１と同様である。
【００４１】
（水タンク５１の構成）
図１２は、水タンク５１が備える蓋駆動装置６１の構成を示すブロック図である。水タンク５１は、水タンク４１と同様、除湿水貯留部３１および加湿水貯留部３２の上面位置を塞ぐ上蓋５２を有している。上蓋５２は、蓋駆動装置６１に駆動されて、除湿水貯留部３１の上面位置（退避位置、加湿水貯留部３２の上面位置以外の位置）と加湿水貯留部３２の上面位置とにスライド移動可能となっている。
【００４２】
蓋駆動装置６１は、図１２に示すように、蓋切替え制御部６３および蓋駆動部６４を備えている。蓋切替え制御部６３は、加湿運転または除湿運転を指示する入力信号を受けて、加湿運転の場合には上蓋５２が除湿水貯留部３１の上面位置へ移動し、除湿運転の場合には加湿水貯留部３２の上面位置へ移動するように、蓋駆動部６４を制御する。加湿運転または除湿運転を指示する入力信号は、例えば、図１に示す空気調和機３の上面に設けられた操作部（図示せず）をユーザが操作することにより生じる。
【００４３】
蓋駆動部６４は、蓋駆動モータ６５を備え、蓋駆動モータ６５の動力を例えばラックギヤとピニオンギヤとからなる駆動伝達部を介して上蓋５２へ伝達することにより、上蓋５２を移動させる。
【００４４】
また、水タンク５１は、加湿水貯留部３２の上部にダンパー５３を有している。ダンパー５３は、ばね（図示せず）によって起立状態に保持され、上蓋５２が除湿水貯留部３１の上面位置に存在する場合、すなわち上蓋５２が加湿水貯留部３２の上面位置に存在しない場合に、起立状態を維持する。ダンパー５３は、起立状態において上端部が隔壁２９の下端部と対向し、隔壁２９とともに空気の案内壁を形成する。この案内壁すなわちダンパー５３は、筐体吸込み口２５から筐体１１の内部に取り込まれ、空気清浄フィルタ１２を通過した空気を加湿水貯留部３２の内部に設けられている加湿フィルタ１９へ案内するようになっている。一方、ダンパー５３は、上蓋５２が加湿水貯留部３２の上面位置に移動した場合、上蓋５２に押されて加湿水貯留部３２の内部へ倒れ込み倒伏状態となる。
【００４５】
水タンク５１は、水タンク１８と同様、仕切り部材３３が水タンク５１の底面に対して垂直、かつ空気調和機３の前後方向と垂直な方向に設けられている。
【００４６】
（加湿運転時の動作）
上記の構成において、空気調和機３の加湿運転時には、図１０に示すように、水タンク５１の加湿水貯留部３２は水を入れた状態とする。蓋切替え制御部６３は、蓋駆動部６４を制御して上蓋５２を除湿水貯留部３１の上面位置へ移動させる。この場合、ダンパー５３は、起立状態となり、隔壁２９とともに案内壁を形成する。また、冷凍サイクル装置は運転を停止する。その後のファンモータ１３を回転してからの空気調和機３の動作は、空気調和機１の場合と同様である。
【００４７】
（除湿運転時の動作）
空気調和機３の除湿運転時には、図１１に示すように、蓋切替え制御部６３は、蓋駆動部６４を制御して上蓋５２を除湿水貯留部３１の上面位置へ移動させる。この場合、ダンパー５３は、上蓋５２に押されて倒伏状態となる。水タンク５１の加湿水貯留部３２の水は、空の状態でも貯留状態でもよい。また、冷凍サイクル装置は運転する。
【００４８】
この状態にてファンモータ１３に駆動されてファン１４が回転すると、筐体吸込み口２５から筐体１１の内部へ空気が吸い込まれる。この空気は、空気調和機２の場合と同様、空気清浄フィルタ１２、熱交換器１５、ケーシング吸込み口１６ａ、ファン１４およびケーシング吹出し口１６ｂを通過し、筐体吹出し口２６から機外へ排出される。この場合、空気は、空気調和機２の場合と同様、上蓋５２が加湿水貯留部３２の上面位置に配置されていることにより加湿されず、また、熱交換器１５にて除湿される。除湿にて生じたドレイン水についても、同様に、ドレイン水トレイ１７を経て除湿水貯留部３１により貯留される。
【００４９】
（空気調和機３の利点）
空気調和機３では、除湿運転時に水タンク５１の加湿水貯留部３２の上面が上蓋５２にて蓋をされるので、空気調和機２と同様、加湿水貯留部３２に水が存在する状態にて除湿運転が可能である。
【００５０】
また、上蓋５２は、加湿運転時には自動的に除湿水貯留部３１の上面位置（退避位置）に移動する一方、除湿運転時には自動的に加湿水貯留部３２の上面位置に移動する。これにより、ユーザが加湿運転および除湿運転に応じて上蓋５２を手動操作にて移動させる必要がないので、利便性が向上する。
【００５１】
また、ダンパー５３は、加湿運転時には上蓋５２が除湿水貯留部３１の上面位置（退避位置）へ移動することにより起立状態となり、除湿運転時には上蓋５２が加湿水貯留部３２の上面位置へ移動することにより、上蓋５２に押されて倒伏状態となる。すなわち、ダンパー５３は、加湿運転時には起立状態となり、空気調和機３の内部に取り込まれた空気を加湿フィルタへ案内することができる。一方、ダンパー５３は、除湿運転時には倒伏状態となり、空気調和機３の内部に取り込まれた空気の流れ、すなわち除湿動作部である熱交換器１５への空気の流れを邪魔しない。
【００５２】
さらに、仕切り部材３３は、除湿水貯留部３１と加湿水貯留部３２とが水平方向に並ぶように水タンク５１の内部を仕切っており、上蓋５２は、除湿水貯留部３１の上面位置を退避位置としている。これにより、上蓋５２は、除湿水貯留部３１の上面位置（退避位置）への移動、および加湿水貯留部３２の上面位置への移動を単純なスライド移動によって行うことができ、蓋駆動部６４を簡単な構成とすることができる。空気調和機３のその他の利点は空気調和機１の利点と同様である。
【００５３】
〔実施形態４〕
本発明のさらに他の実施形態について、以下に説明する。なお、説明の便宜上、上記実施形態にて説明した部材と同じ機能を有する部材については、同じ符号を付記し、その説明を繰り返さない。
【００５４】
以上に示した水タンク１８，４１，５１では、仕切り部材３３が水タンク１８，４１，５１の底面に対して垂直、かつ空気調和機１の前後方向と垂直な方向に設けられている構成としたが、仕切り部材３３の配置方向はこれに限定されない。
【００５５】
すなわち、以上に示した水タンク１８，４１，５１は、図１３に示す仕切り部材３３を備えていてもよい。図１３の（ａ）は、水タンクの他の例に係る水タンク７１の平面図、図１３の（ｂ）は、図１３の（ａ）に示した水タンク７１の内部の構造を示す正面図である。図１３の（ａ）（ｂ）に示す水タンク７１は、仕切り部材３３が底面の法線方向に対して傾斜し、かつ空気調和機１の前後方向と垂直な方向に設けられている。
【００５６】
また、以上に示した水タンク１８，４１，５１は、図１４に示す仕切り部材３３を備えていてもよい。図１４の（ａ）は、水タンクのさらに他の例に係る水タンク７２の平面図、図１４の（ｂ）は、図１４の（ａ）に示した水タンク７２の内部の構造を示す正面図である。図１４の（ａ）（ｂ）に示す水タンク７２は、水タンク７１の場合と同様、仕切り部材３３が底面の法線方向に対して傾斜し、かつ空気調和機１の前後方向と垂直な方向に設けられている。但し、仕切り部材３３の傾斜方向は、水タンク７１の場合と逆である。
【００５７】
さらに、以上に示した水タンク１８，４１，５１は、図１５に示すように、加湿水貯留部３２と除湿水貯留部３１とが上下に仕切られた構成であってもよい。図１５の（ａ）は、水タンクのさらに他の例に係る水タンク７３の平面図、図１５の（ｂ）は、図１５の（ａ）に示した水タンク７３の内部の構造を示す正面図である。
【００５８】
図１５の（ａ）（ｂ）に示す水タンク７３は、除湿水貯留部３１の内部に加湿水貯留部３２を設けた構成であり、実質的に加湿水貯留部３２が除湿水貯留部３１の上段に位置する。具体的には、加湿水貯留部３２は容器部材８１によって形成されている。容器部材８１は、除湿水貯留部３１の内部に配置され、仕切り部材３３に相当する。容器部材８１の、除湿水貯留部３１の側壁上に位置するフランジ部８１ａには、ドレイン水トレイ１７から除湿水貯留部３１へのドレイン水の流入口８１ｂが形成されている。
【００５９】
〔まとめ〕
本発明の態様１に係る空気調和機は、空気を除湿する除湿動作部と、加湿フィルタを有し、前記加湿フィルタにより空気を加湿する加湿動作部と、前記除湿動作部にて生じたドレイン水を貯留する除湿水貯留部、および前記加湿フィルタへ供給する水を貯留する加湿水貯留部を有する水タンクであって、内部を仕切り部材にて仕切ることにより前記除湿水貯留部および前記加湿水貯留部が形成されており、前記加湿水貯留部の内部に前記加湿フィルタが設けられている水タンクとを備えている。
【００６０】
本発明の態様２に係る空気調和機は、上記態様１において、前記水タンクは、前記加湿水貯留部の上面位置を塞ぐ上蓋を有している構成としてもよい。
【００６１】
本発明の態様３に係る空気調和機は、上記態様２において、前記上蓋は、前記除湿水貯留部の上面位置と前記加湿水貯留部の上面位置以外の退避位置とに移動可能であり、前記上蓋を移動させる蓋駆動部と、加湿運転の場合に前記上蓋が前記退避位置へ移動し、除湿運転の場合に前記上蓋が前記加湿水貯留部の上面位置へ移動するように、前記蓋駆動部を制御する蓋切替え制御部とを備えている構成としてもよい。
【００６２】
本発明の態様４に係る空気調和機は、上記態様３において、倒伏状態と起立状態とが可能であり、ばねによって起立状態に保持され、空気調和機の内部に取り込まれた空気を前記起立状態により前記加湿フィルタへ案内するダンパーであって、前記上蓋の前記退避位置への移動により起立状態となり、前記上蓋の前記加湿水貯留部の上面位置への移動により、前記上蓋に押されて倒伏状態となるダンパーを備えている構成としてもよい。
【００６３】
本発明の態様５に係る空気調和機は、上記態様４において、前記退避位置は、前記除湿水貯留部の上面位置であり、前記仕切り部材は、前記除湿水貯留部と前記加湿水貯留部とが水平方向に並ぶように前記水タンクの内部を仕切っている構成としてもよい。
【００６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６５】
１〜３    空気調和機
１１    筐体
１３    ファンモータ
１４    ファン
１５    熱交換器（除湿動作部）
１７    ドレイン水トレイ
１８，４１，５１，７１〜７３    水タンク
１９    加湿フィルタ（加湿動作部）
２５    吸込み口
２６    吹出し口
２７    開閉蓋
２８    タンク出入れ口
３１    除湿水貯留部
３２    加湿水貯留部
３３    仕切り部材
４２，５２    上蓋
５３    ダンパー
６１    蓋駆動装置
６３    蓋切替え制御部
６４    蓋駆動部
【図１】
2020067204.tif 000003
【図２】
2020067204.tif 000004
【図３】
2020067204.tif 000005
【図４】
2020067204.tif 000006
【図５】
2020067204.tif 000007
【図６】
2020067204.tif 000008
【図７】
2020067204.tif 000009
【図８】
2020067204.tif 000010
【図９】
2020067204.tif 000011
【図１０】
2020067204.tif 000012
【図１１】
2020067204.tif 000013
【図１２】
2020067204.tif 000014
【図１３】
2020067204.tif 000015
【図１４】
2020067204.tif 000016
【図１５】
2020067204.tif 000017